(57)【要約】【課題】  リールシートの部分をより安定して握ることができる釣竿を提供したり、リールシートの強度をより向上させる。【解決手段】  一実施形態に係るリールシートは、固定フードの周方向両側の左右側面に凹部が設けられている。凹部は、リールシートの本体部の側面の後方・上側から前方側へと延び、前方側の終端部においては本体部の下側に突き出している。【選択図】  図２
2014128224.tif 000002
【特許請求の範囲】
【請求項１】
魚釣り用の釣竿であって、
竿杆と、
リール脚部の一方の端部を収容する固定フードが当該リール脚部の載置面側に設けられ当該固定フードの周方向両側の側面の少なくとも一方に凹部が形成された筒状の本体部と、前記竿杆の軸方向に移動可能であって前記固定フードと対向し前記リール脚部の他方の端部を収容する移動フードと、を有し、前記竿杆と一体又は別体で形成されたリールシートと、
を備える釣竿。
【請求項２】
前記リールシートの本体部は、前記凹部の少なくとも一部が、前記竿杆の中心軸よりも前記リール脚部の載置面側に形成されてなる請求項１記載の釣竿。
【請求項３】
前記リールシートの本体部は、前記凹部が、前記軸方向に所定の長さで延びる請求項１又は２記載の釣竿。
【請求項４】
前記リールシートの本体部は、前記固定フードの周方向両側の側面の少なくとも一方に形成された第１の凹部と、当該第１の凹部よりも当該本体部の前記軸方向中央部側に形成された第２の凹部と、を有する請求項１又は２記載の釣竿。
【請求項５】
前記リールシートの本体部は、前記第１の凹部の少なくとも一部が前記竿杆の中心軸よりも前記リール脚部の載置面側に形成されてなる請求項４記載の釣竿。
【請求項６】
前記リールシートの本体部は、前記第１の凹部が前記竿杆の中心軸よりも前記リール脚部の載置面側に形成されると共に、前記固定フードの周方向両側の側面の少なくとも一方に前記竿杆の中心軸よりも前記リール脚部の載置面と反対側に形成された第３の凹部を有する請求項４記載の釣竿。
【請求項７】
前記リールシートの本体部は、前記第２の凹部が前記竿杆の中心軸よりも前記リール脚部の載置面と反対側に形成されてなる請求項４ないし６いずれか記載の釣竿。
【請求項８】
前記リールシートの本体部は、前記凹部が貫通孔として形成されてなる請求項１ないし７いずれか記載の釣竿。
【請求項９】
前記リールシートは、前記固定フードが前記移動フードよりも前記竿杆の竿先側に位置する請求項１ないし８いずれか記載の釣竿。
【請求項１０】
前記リールシートは、前記固定フードの前記軸方向の幅が前記移動フードの当該軸方向の幅よりも大きい請求項９記載の釣竿。
【請求項１１】
竿杆と一体又は別体で形成されるリールシートであって、
リール脚部の一方の端部を収容する固定フードが当該リール脚部の載置面側に設けられ当該固定フードの周方向両側の側面の少なくとも一方に凹部が形成された筒状の本体部と、
前記竿杆の軸方向に移動可能であって前記固定フードと対向し前記リール脚部の他方の端部を収容する移動フードと、
を備えるリールシート。
【発明の詳細な説明】
【技術分野】
【０００１】
本発明は、釣竿及びこれに用いるリールシートに関し、詳しくは、魚釣り用の釣竿及びこれに用いるリールシートに関する。
【背景技術】
【０００２】
従来より、スピニングリール等のリールを使用する釣竿の操作性を向上させるために、リールを載置して固定するリールシートの形状について様々な改良がなされており、例えば、リール脚部を固定する固定フードの左右の側周部位に親指載置用の指掛け部を設けたリールシートが提案されている（特許文献１参照）。このリールシートでは、釣竿のリールシート部分を握る際には、指掛け部の上に親指を載せて握ることによって、釣竿を強くしっかりと握ることができるようになっている。
【先行技術文献】
【特許文献】
【０００３】
【特許文献１】特開平８−１９３５５号公報
【発明の概要】
【発明が解決しようとする課題】
【０００４】
しかしながら、このリールシートでは、指掛け部の親指を載せる面が上向きとなっているから、釣竿を強くしっかりと握るためには親指を下向きに押し付ける必要が生じ、咄嗟の操作性には優れるものの、握り易いとは言えない。また、特に上側部分の肉厚が薄くなるから、リールシートの強度が不十分になってしまう虞がある。
【０００５】
そこで、本発明の様々な実施形態は、リールシートの部分をより安定して握ることができる釣竿を提供することを目的の一つとする。また、本発明の様々な実施形態は、リールシートの強度をより向上させることを目的の一つとする。本発明の様々な実施形態の他の目的は、本明細書全体を参照することにより明らかとなる。
【課題を解決するための手段】
【０００６】
本発明の一実施形態に係る釣竿は、魚釣り用の釣竿であって、竿杆と、リール脚部の一方の端部を収容する固定フードが当該リール脚部の載置面側に設けられ当該固定フードの周方向両側の側面の少なくとも一方に凹部が形成された筒状の本体部と、前記竿杆の軸方向に移動可能であって前記固定フードと対向し前記リール脚部の他方の端部を収容する移動フードと、を有し、前記竿杆と一体又は別体で形成されたリールシートと、を備える。
【０００７】
本発明の一実施形態に係るリールシートは、竿杆と一体又は別体で形成されるリールシートであって、リール脚部の一方の端部を収容する固定フードが当該リール脚部の載置面側に設けられ当該固定フードの周方向両側の側面の少なくとも一方に凹部が形成された筒状の本体部と、前記竿杆の軸方向に移動可能であって前記固定フードと対向し前記リール脚部の他方の端部を収容する移動フードと、を備える。
【発明の効果】
【０００８】
本発明の様々な実施形態によって、リールシートの部分をより安定して握ることができる釣竿を提供したり、リールシートの強度をより向上させることができる。
【図面の簡単な説明】
【０００９】
【図１】本発明の一実施形態に係る釣竿１の側面図。
【図２】本発明の一実施形態に係るリールシート１０の側面図。
【図３】本発明の一実施形態に係るリールシート１０の上面図。
【図４】本発明の一実施形態に係るリールシート１０の下面図。
【図５】図２のリールシート１０のＡ−Ａ断面図。
【図６】図２のリールシート１０のＢ−Ｂ断面図。
【図７】図２のリールシート１０のＣ−Ｃ断面図。
【図８】図２のリールシート１０のＤ−Ｄ断面図。
【図９】一実施形態に係る釣竿１のリールシート１０を握る様子を説明する説明図。
【図１０】変形例のリールシート１０Ｂの側面図。
【図１１】変形例のリールシート１０Ｃの断面図。
【図１２】変形例のリールシート１０Ｃの断面図。
【図１３】変形例のリールシート１０Ｄを握る様子を説明する説明図。
【発明を実施するための形態】
【００１０】
以下、様々な実施形態を適宜図面を参照して説明する。なお、図面における共通する構成要素には同一の参照符号が付されている。
【００１１】
図１は、本発明の一実施形態に係る釣竿１の側面図である。一実施形態に係る釣竿１は、図示するように、スピニングリール６から繰り出される釣り糸を案内する複数のガイド３が設けられた竿杆２と、この竿杆２と一体又は別体に形成されスピニングリール６を載置して固定する本発明の一実施形態に係るリールシート１０とを備え、リールシート１０の手元側にはコルク又はＥＶＡによって形成された後方グリップ４が、竿先側には同じくコルク又はＥＶＡ等によって形成された前方グリップ５がそれぞれ竿杆２の外周上に形成されている。竿杆２は、中空状（管状）又は中実状で形成され、例えば、強化繊維に合成樹脂を含浸したプリプレグシート等を用いて形成することができる。なお、竿杆２の継合本数は任意であり、また、振り出し式としてもよいし並継式としてもよい。
【００１２】
図２は本発明の一実施形態に係るリールシート１０の側面図であり、図３は同じくリールシート１０の上面図であり、図４は同じくリールシート１０の下面図である。リールシート１０は、ナイロン、ＡＢＳ等の合成樹脂やアルミ、ＳＵＳ、チタン等の金属等によって形成され、図２に示すように、前方側（竿先側）にスピニングリール６の脚部の一方の端部を収容する挿入孔を有する固定フード１６が設けられた本体部１２と、この固定フード１６に対向する位置に設けられスピニングリール６の脚部の他方の端部を収容する移動フード１４と、この移動フード１４の後方側（手元側）に設けられたナット１８と、を備える。このナット１８を回転操作することにより、ナット１８の内周面に形成された雌ネジ部が本体部１２の手元側端部に設けられた雄ネジ部と嵌め合せられて移動フード１４を竿杆２の軸方向に移動調整することができ、この移動フード１４と固定フード１６とによってスピニングリール６の脚部（図２において点線で示されている）を締め付けて固定することができるようになっている。なお、スピニングリール６の脚部は、例えば、竿杆２の軸方向の長さが約６０〜６５ｍｍである。ここで、固定フード１６の軸方向の幅は、移動フード１４の軸方向の幅よりも大きくなっている。
【００１３】
一実施形態におけるリールシート１０の本体部１２は、図２及び図３に示すように、固定フード１６の周方向両側の側面に凹部２０が設けられている。凹部２０は、リールシート１０の軸方向略中央部分（スピニングリール６の脚部の軸方向略中央部分）から前方に延びる長さを有し、後方側では竿杆２の中心軸Ｃよりも上側（スピニングリール６の載置面の反対側）に位置し、前方側では中心軸Ｃよりも下側（スピニングリール６の載置面側）に位置する。即ち、凹部２０は、本体部２０の側面の後方・上側から前方側へと延び、前方側の終端部においては本体部２０の下側に突き出している。凹部２０は、図３に示すように、下側に所定の幅を有する壁部が形成されており、握ったときの親指の端部下側がこの壁部に当たるようになっている。また、凹部２０は、上側にも所定の幅を有する壁部が形成されており、握ったときの親指の端部上側がこの壁部に引っかかるようになっている。こうした凹部２０の下側及び上側に形成された壁部によって、強く握ったときに握り易くなると共に操作性が向上する。
【００１４】
本体部１２は、固定フード１６の後方側の下側部分が凹んでおり、この凹んだ部分にスピニングリール６の載置面が設けられている。また、図４に示すように、本体部１２の固定フード１６が形成されている部分の外径幅Ｗ３は、移動フード１４（及びナット１８）の外径幅Ｗ２よりも大きく、さらに、この外径幅Ｗ２は、リールシート１０の最小外径幅Ｗ１よりも大きく形成されている。このような外形幅の大小関係とすることにより、固定フード１６が形成されている部分は握りやすい外径幅（Ｗ３）となり、移動フード１４は操作性に優れた外径幅（Ｗ２）とすることができる。
【００１５】
図５−図８は、図２のリールシート１０の軸方向に異なる各位置における断面図である。図５−図８に示すように、リールシート１０は、接着層２２を介して中空状の竿杆２に固着されている。図５は、図２のＡ−Ａ断面図であり、リールシート１０の固定フード１６が形成された部分の前側の位置における断面を示す。図示するように、リールシート１０の固定フード１６が形成された部分の前側では、本体部１２の側面に設けられた凹部２０は、竿杆２の中心軸Ｃよりも下側に突き出して形成されており、竿杆２の中心軸を通る水平面に対して下方向に角度θ１の角度で形成されている。凹部２０の周方向の幅は、好適には５ｍｍ以上とすることにより、親指の一部を入れることができ、リールシート１０の軽量化を図ることができる。凹部２０が形成される部分の本体部１２の肉厚は薄くなるが、最小肉厚は１．０〜２．０ｍｍとするのが好ましい。
【００１６】
図６は、図２のＢ−Ｂ断面図であり、リールシート１０の固定フード１６が形成された部分の後側（スピニングリール６の脚部を収容する部分）の位置における断面を示す。図示するように、リールシート１０の固定フード１６が形成された部分の後側では、本体部１２の側面に設けられた凹部２０は、竿杆２の中心軸Ｃよりも上側に形成されており、竿杆２の中心軸を通る水平面に対して上方向に角度θ２の角度で形成されている。凹部２０が形成される部分の本体部１２の肉厚は、前述した最小の肉厚と同様である。図７は、図２のＣ−Ｃ断面図であり、リールシート１０の固定フード１６の後方側の固定フード１６が設けられていない部分における断面を示す。図示するように、リールシート１０の固定フード１６の後方側では、本体部１２の側面に設けられた凹部２０は、竿杆２の中心軸Ｃに対する位置が、固定フード１６の後側における位置（図６）よりも上側に形成されており、竿杆２の中心軸を通る水平面に対して上方向に、前述した角度θ２よりも大きい角度で形成されている。図示するように、このリールシート１０の固定フード１６の後方側においては、横方向の外径幅が握りやすい幅となるよう肉厚となっている。図８は、図２のＤ−Ｄ断面図であり、リールシート１０の移動フード１４の前方側における断面を示す。図示するように、リールシート１０の移動フード１４の前方側においては、凹部２０が形成されておらず、本体部１２の肉厚は前述した最小肉厚と同様である。
【００１７】
図９は、こうして構成された一実施形態に係る釣竿１のリールシート１０の部分を握る様子を説明する説明図である。一実施形態に係る釣竿１は、図示するように、固定フード１６の周方向の側面に設けられた凹部２０に親指を当てて握ることができ、親指がずれるのを防止することができる。また、凹部２０が本体部２０の側面の後方・上側から前方側へと延びて一体に形成されているから、握るときの違和感が生じ難い。
【００１８】
以上説明した一実施形態に係る釣竿１によれば、固定フード１６の周方向両側の側面に凹部２０が設けられているから、この凹部２０に親指を当てて握ることによって、リールシート１０の部分をより安定して握ることができる。また、凹部２０は、肉厚である固定フード１６の周方向両側の側面に設けられているから、本体部１２の肉厚を確保することができ、リールシート１０の強度をより向上させることができる。
【００１９】
一実施形態におけるリールシート１０では、凹部２０は、本体部２０の側面の後方・上側から前方側へと延びて一体に形成したが、凹部２０を複数の凹部によって形成することもできる。図１０は、凹部２０を複数の凹部によって形成した変形例のリールシート１０Ｂの側面図である。変形例のリールシート１０Ｂは、図示するように、固定フード１６の周方向両側の側面の下側に設けられた凹部２１Ｂと、この凹部２１Ｂの上側に設けられた凹部２２Ｂと、リールシート１０の軸方向略中央部分に設けられた凹部２３Ｂとを有する。こうすれば、親指を凹部２１Ｂ又は凹部２２Ｂに当てて握ることができ、親指を当てる場所を選択することができる。また、凹部２３Ｂを、凹部２１Ｂや凹部２２Ｂと独立して形成するから、凹部２３Ｂを掌の形状により適合した形状とする等、設計の自由度が向上する。
【００２０】
一実施形態におけるリールシート１０では、凹部２０においても最小肉厚を保持するものとしたが、凹部２０を貫通孔としても構わない。図１１は、貫通孔である凹部２０Ｃが設けられた変形例のリールシート１０Ｃの、固定フード１６が形成された部分の前側の位置における断面を示す断面図（実施形態の図５に相当）であり、図１２は、同じくリールシート１０Ｃの固定フード１６の後方側の部分における断面を示す断面図（実施形態の図７に相当）である。図示するように、この変形例のリールシート１０Ｃは、貫通孔である凹部２０Ｃにおいて竿杆２の外周が露出する。この結果、握った際に竿杆２に直接触れることになるから、魚信等に対する感度が向上する。また、貫通孔とすることにより軽量化を図ることもできる。
【００２１】
一実施形態におけるリールシート１０では、固定フード１６を前方側に設け移動フード１４を後方側に設けたが、移動フード１４を前方側に設け固定フード１６を後方側に設けてもよい。図１３は、移動フード１４を前方側に設け固定フード１６を後方側に設けた変形例のリールシート１０Ｄを握る様子を説明する説明図である。図示するように、この場合、本体部１２の凹部２０には掌が当てられ、掌がずれるのを防止することができる。
【００２２】
一実施形態におけるリールシート１０では、固定フード１６の周方向両側の側面に凹部２０を設けたが、両側の側面の一方のみに凹部２０を設けても差し支えない。
【００２３】
本発明は上述した実施形態に何ら限定されることなく、本発明の技術的範囲に属する種々の態様で実施し得ることは勿論である。
【符号の説明】
【００２４】
１  釣竿
２  竿杆
３  ガイド
４  後方グリップ
５  前方グリップ
６  スピニングリール
１０  リールシート
１２  本体部
１４  移動フード
１６  固定フード
１８  ナット
２０  凹部
２２  接着層
【図１】
2014128224.tif 000003
【図２】
2014128224.tif 000004
【図３】
2014128224.tif 000005
【図４】
2014128224.tif 000006
【図５】
2014128224.tif 000007
【図６】
2014128224.tif 000008
【図８】
2014128224.tif 000009
【図９】
2014128224.tif 000010
【図１０】
2014128224.tif 000011
【図１１】
2014128224.tif 000012
【図１２】
2014128224.tif 000013
【図１３】
2014128224.tif 000014
【図７】
2014128224.tif 000015